(57)【要約】【課題】ユーザが清掃せずとも、底面に落下した調理屑を取りこぼしなく除去することができ、調理屑が底面に残存して加熱される虞がなく、内部を常に清潔な状態に保持することができる加熱調理器を提供する。【解決手段】オーブントースタ１の加熱室３の両側面には、下溝部２３及び上溝部２４が設けられている。焼き網６の幅方向両端部には、第１軸部６４及び第２軸部６５が設けられ、第１軸部６４及び第２軸部６５の先端部は上溝部２４に嵌められている。第１軸部６４には、扉２１の幅方向両端部に取り付けられた扉連動アーム６２が枢支され、第１バネ６３の一端部が取り付けられている。清掃体７は、加熱室３の幅方向に延在する矩形状をなし、上端部には丸棒状の支持部７２が設けられている。支持部７２の両端部は、連結棒７３により第２軸部６５と連結された状態で、下溝部２３に嵌められている。【選択図】図３
2014085057.tif 000002
【特許請求の範囲】
【請求項１】
正面に設けられた開口部に、下端部が枢支されて前後に開くように構成された扉を有する筐体と、該筐体内に設けられ、被加熱物を収容する収容室と、前記被加熱物を載置し、前記扉の開閉動作に連動して前記収容室を進退する載置体とを備える加熱調理器において、
前記収容室の幅方向に延在し、前記扉の開動作に連動して、下端部が前記収容室の底面に接触する状態で前記収容室の背面側から正面側へ進出する清掃体を備えることを特徴とする加熱調理器。
【請求項２】
前記清掃体は、前記扉の閉動作に連動して、前記下端部が前記底面から離隔する状態で前記収容室の正面側から背面側へ後退するように構成されていることを特徴とする請求項１に記載の加熱調理器。
【請求項３】
前記収容室の両側面に、前記清掃体を案内する溝部が設けられ、
該溝部は、前記清掃体が進出する場合と後退する場合とで経路が異なるように構成されていることを特徴とする請求項２に記載の加熱調理器。
【請求項４】
前記底面の正面側下方に、調理屑を収容する調理屑収容箱を備えることを特徴とする請求項１から３までのいずれか１項に記載の加熱調理器。
【請求項５】
前記調理屑収容箱は、中を視認できるように構成されていることを特徴とする請求項４に記載の加熱調理器。
【発明の詳細な説明】
【技術分野】
【０００１】
本発明は、被加熱物を載置体に載置して加熱する加熱調理器に関する。
【背景技術】
【０００２】
例えばオーブントースタ等の加熱調理器においては、パン等の被加熱物を焼き網に載置し、上下のヒータにより被加熱物の両面を同時に加熱するように構成されている。
オーブントースタは通常、パン屑等の調理屑を脱着可能な受け皿で受け止めるように構成されており（例えば特許文献１等）、ユーザは調理後に受け皿を取り外して清掃する必要があり、手間がかかるという問題があった。
【０００３】
加熱室の清掃を容易にするものとして、特許文献２には、焼き網の下側に、加熱室外に引き出し可能に設けられた反射板と、加熱室の前側に設けられ、反射板の引き出し操作に伴いその上面を全長に亘って掻くスクレーパと、該スクレーパの下方に設けられ、上向きに開口する屑受けとを備えるオーブントースタの発明が開示されている。
【０００４】
この発明によれば、反射板を加熱室から引き出す場合に反射板上に落下したパン屑等の落下物がスクレーパによって掻き集められ、反射板に追従して加熱室の外に引き出されることなく、スクレーパの位置で塞き止められる。そして、反射板の引き抜き後端部がスクレーパの位置に達した場合、屑受けの上端の開口部が露出し、塞き止められていたパン屑が屑受けに落下して溜まる。
【先行技術文献】
【特許文献】
【０００５】
【特許文献１】特許３８１４７７７号公報
【特許文献２】実開平６−３２３５号公報
【発明の概要】
【発明が解決しようとする課題】
【０００６】
上述の特許文献２の発明においては、スクレーパで塞き止めることができるパン屑等の量はスクレーパの寸法に規制されるので、パン屑等がオーバーフローして、屑受けにより回収することができず、加熱室を清潔に維持することができなくなる虞があった。また、スクレーパの取り付け位置に残存したパン屑が、反射板を加熱室に差し入れる場合に引き戻される虞があった。
【０００７】
本発明は斯かる事情に鑑みてなされたものであり、ユーザが清掃せずとも、底面に落下した調理屑を取りこぼしなく除去することができ、調理屑が底面に残存して加熱される虞がなく、内部を常に清潔な状態に保持することができる加熱調理器を提供することを目的とする。
【課題を解決するための手段】
【０００８】
本発明に係る加熱調理器は、正面に設けられた開口部に、下端部が枢支されて前後に開くように構成された扉を有する筐体と、該筐体内に設けられ、被加熱物を収容する収容室と、前記被加熱物を載置し、前記扉の開閉動作に連動して前記収容室を進退する載置体とを備える加熱調理器において、前記収容室の幅方向に延在し、前記扉の開動作に連動して、下端部が前記収容室の底面に接触する状態で前記収容室の背面側から正面側へ進出する清掃体を備えることを特徴とする。
【０００９】
本発明に係る加熱調理器は、前記清掃体は、前記扉の閉動作に連動して、前記下端部が前記底面から離隔する状態で前記収容室の正面側から背面側へ後退するように構成されていることを特徴とする。
【００１０】
本発明に係る加熱調理器は、前記収容室の両側面に、前記清掃体を案内する溝部が設けられ、該溝部は、前記清掃体が進出する場合と後退する場合とで経路が異なるように構成されていることを特徴とする。
【００１１】
本発明に係る加熱調理器は、前記底面の正面側下方に、調理屑を収容する調理屑収容箱を備えることを特徴とする。
【００１２】
本発明に係る加熱調理器は、前記調理屑収容箱は、中を視認できるように構成されていることを特徴とする。
【発明の効果】
【００１３】
本発明によれば、収容室の幅方向に延在し、扉の開動作に連動して、下端部が収容室の底面に接触する状態で収容室の背面側から正面側へ進出する清掃体を備えるので、被加熱物の加熱後に、扉を開いて載置体を正面側に進出させるときに、清掃体が収容室の底面略全体を摺動されて進出し、これに伴い、調理屑が取りこぼしなく掻き集められて正面側に移動させられる。従って、ユーザが清掃せずとも、内部が常に清潔な状態に保持され、底面に落下した調理屑が加熱されて発煙等する虞がない。
【図面の簡単な説明】
【００１４】
【図１】本発明の実施の形態１に係る加熱調理器としてのオーブントースタを示す斜視図である。
【図２】本発明の実施の形態１に係るオーブントースタの正面図である。
【図３】本発明の実施の形態１に係るオーブントースタの側面断面図である。
【図４】本発明の実施の形態１に係る扉の開動作の途中を示す側面断面図である。
【図５】本発明の実施の形態１に係る扉が完全に開いた状態を示す側面断面図である。
【図６】他の清掃体を示す正面図である。
【図７】本発明の実施の形態２に係るオーブントースタの正面図である。
【図８】本発明の実施の形態２に係るオーブントースタの側面断面図である。
【図９】本発明の実施の形態２に係る扉の開動作の途中を示す側面断面図である。
【図１０】本発明の実施の形態２に係る扉が完全に開いた状態を示す側面断面図である。
【図１１】本発明の実施の形態２に係る扉が閉じる状態を示す側面断面図である。
【発明を実施するための形態】
【００１５】
以下、本発明をその実施の形態を示す図面に基づいて具体的に説明する。
実施の形態１．
図１は本発明の実施の形態１に係る加熱調理器としてのオーブントースタ１の斜視図、図２はオーブントースタ１の正面図、図３はオーブントースタ１の側面断面図である。図２中、扉２１は省略している。
【００１６】
オーブントースタ１の筐体２は、中空の直方体状をなす。筐体２の内部は、例えばパン等の被加熱物Ｂを収容して加熱する加熱室（収容室）３となっており、筐体２の底面には４本の脚部９が取り付けられている。筐体２は、脚部９をトースタ台等の載置面Ｓに載置したときに扉２１で開閉される正面開口を有する。扉２１は矩形板状をなし、下端部が筐体２に枢支されており、上部に扉ハンドル２２を有する。扉２１は、ユーザが扉ハンドル２２を握って手前に引くことにより正面側に開くように構成されている。筐体２の底面の正面下側には調理屑収容箱１０が取り付けられており、調理屑収容箱１０の上部は開口している。調理屑収容箱１０は、例えば耐熱性を有する合成樹脂等からなり、透明又は半透明であり、中に収容された調理屑を視認できるように構成されている。
【００１７】
加熱室３の両側面には、底面に平行に延びる下溝部２３、及び上溝部２４が設けられている。上溝部２４は上下方向の中央部より少し下寄りに設けられ、下溝部２３は、底面寄りに設けられている。下溝部２３は、前記調理屑収容箱１０の開口部の背面側端部より少し正面側に延びている。上溝部２４は下溝部２３より長さを長くしている。
【００１８】
例えばパン等の被加熱物Ｂが載置される金属製の焼き網６は矩形状をなし、幅方向両端部の中途部に第１軸部６４が横設され、背面側端部に第２軸部６５が横設されている。第１軸部６４及び第２軸部６５は上溝部２４に嵌め込まれ、焼き網６は加熱室３内にスライド可能に支持される。第１軸部６４には、扉２１の幅方向両端部に取り付けられた扉連動アーム６２が枢支されるとともに、第１バネ６３の一端部が取り付けられている。第１バネ６３の他端部は、第１バネ６３が第１軸部６４から斜め上方向に延びるように、加熱室３の背面に固定されている。
【００１９】
加熱室３の上部及び下部には、筒状をなすヒータ５，５が取り付けられている。ヒータ５，５に通電して、焼き網６上に載置された被加熱物Ｂを加熱する。
【００２０】
そして、焼き網６には清掃体７が取り付けられている。
清掃体７は、耐熱性を有する合成樹脂、又は金属からなり、加熱室３の幅方向に延在する矩形板状をなし、清掃体７の上端部には丸棒状の支持部７２（第３軸部）が設けられている。
支持部７２の両端部は下溝部２３に嵌められ、清掃体７は加熱室３内にスライド可能に支持される。清掃体７の高さは下溝部２３の高さと一致し、清掃体７の下端部は加熱室３の底面に接触している。
支持部７２は、上下方向に延びる連結棒７３により第２軸部６５と連結され、清掃体７は焼き網６に連動してスライドする。図２に示すように、連結棒７３はヒータ５等の電気部品より外側に位置する。
【００２１】
以上のように構成されたオーブントースタ１においては、ユーザが扉２１を開き、焼き網６を進出させて被加熱物Ｂを載置した後、扉２１を閉じて焼き網６を後退させ、ヒータ５，５を通電して所定時間、被加熱物Ｂを加熱する。この被加熱物Ｂの挿入時及び加熱時に調理屑が発生して、焼き網６から落下した場合、加熱室３の底面に堆積する。調理屑としては、被加熱物Ｂがパンである場合のパン屑、被加熱物Ｂが揚げ物の冷凍品である場合の衣等が挙げられる。加熱後、ユーザは再度扉２１を開き、焼き網６を進出させて被加熱物Ｂを取り出す。このときに、調理屑は清掃体７により掃き出され、調理屑収容箱１０内に収容される。
【００２２】
以下、清掃体７の動作について説明する。
図４は扉２１の開動作の途中を示す側面断面図、図５は扉２１が完全に開いた状態を示す側面断面図である。
加熱扉２１が開くのに従い、扉連動アーム６２に引かれて、扉連動アーム６２が枢支された第１軸部６４、及び第２軸部６５が上溝部２４を案内され、焼き網６が正面側に進出する。そして、第２軸部６５に連動して、第２軸部６５に連結された支持部７２が下溝部２３を案内されて進出する。支持部７２の進出に従って清掃体７は加熱室３の底面を摺動し、清掃体７の摺動に伴って、清掃体７の正面側の調理屑が順次掻き集められる。
【００２３】
図５に示すように扉２１が完全に開いた場合、第１軸部６４が上溝部２４の正面側端部で停止し、第２軸部６５に連結棒７３を介し連結された支持部７２が、調理屑収容箱１０の背面側端部より少し正面側の位置に到達し、清掃体７の摺動により掻き集められた調理屑が調理屑収容箱１０内に落下する。
【００２４】
扉２１が閉じるのに従い、扉連動アーム６２の後退に連動し、第１バネ６３により引かれて、第１軸部６４及び第２軸部６５が、上溝部２４を案内されて焼き網６が後退する。
【００２５】
以上のように構成されているので、本実施の形態においては、被加熱物Ｂの加熱後に被加熱物Ｂを取り出すために、扉２１を開いて焼き網６を正面側に進出させる場合、自動的に清掃体７が加熱室３の底面を摺動されて進出し、これに伴い調理屑が掻き集められて正面側に移動させられ、調理屑収容箱１０内に溜まる。従って、ユーザが清掃をせずとも、加熱室３の底面が常に清潔な状態に保持され、底面に落下した調理屑が加熱されて発煙等する虞がない。そして、調理屑収容箱１０は中が視認できるので、ユーザは時期を見て調理屑を廃棄することができる。
【００２６】
なお、前記実施の形態においては、清掃体７が矩形板状をなす場合につき説明しているがこれに限定されるものではない。
図６は、他の清掃体１７を示す正面図である。
清掃体１７は支持部７２の長手方向に、耐熱性を有する合成樹脂製等の複数の毛状部７４を並設してなる。この場合、底面に線接触して摺動する清掃体７と異なり、柔らかい複数の毛状部７４が点接触して摺動するので底面に疵が付きにくい。また、複数の毛状部７４の先端が円状に裾広がりになるので、清掃効果も高くなる。
【００２７】
また、前記実施の形態においては、清掃体７の上端部に支持部７２を有する場合につき説明しているがこれに限定されるものではなく、清掃体７の両端部に設けることにしてもよい。
そして、前記実施の形態においては、清掃体７がオーブントースタ１の底面を摺動する場合につき説明しているがこれに限定されるものではなく、オーブントースタ１の底面に受け皿を載置し、清掃体７が受け皿を摺動するように構成してもよい。
【００２８】
実施の形態２．
本発明の実施の形態２に係るオーブントースタ１１は、清掃体７の載置体６への取付構造が実施の形態１に係るオーブントースタ１の取付構造と異なること以外は、実施の形態１に係るオーブントースタ１と同様の構成を有する。
【００２９】
図７は本発明の実施の形態２に係るオーブントースタ１１を正面から見た状態を示す説明図、図８はオーブントースタ１の側面断面図である。図７中、ドア２１は省略している。図中、図２と同一部分は同一符号を付して詳細な説明を省略する。
オーブントースタ１１においては、加熱室３の両側面に、下溝部２６が設けられている。加熱室３の底面の背面側部分には、底面から背面の中途部に向かう斜面を有するバネ取付部２７が設けられている。
【００３０】
下溝部２６は、第１下溝部２６１、第２下溝部２６２、及び第３下溝部２６３を有する。第１下溝部２６１は底面に平行に正背方向に延び、正面側端部は、調理屑収容箱１０の開口部の背面側端部より少し正面側に延びている。第１下溝部２６１の高さは清掃体７の高さと一致する。第２下溝部２６２は、第１下溝部２６１の正面側端部に連なり、背面側に斜め上方に延びる。第３下溝部２６３は、第２下溝部２６２の背面側端部から背面側端部と第１下溝部２６１の背面側端部とを連結するように斜め下方に延びる。
【００３１】
加熱室３の側面の外側で、ヒータ５の外側には、上プーリ８１、中プーリ８２、及び下プーリ８３が、順に背面側から正面側に位置するように設けられている。上プーリ８１は上溝部２４の背面側端部の少し下側に設けられている。下プーリ８３は、下溝部２６の正面側端部より正面側で、かつ下側に設けられている。中プーリ８２は、上プーリ８１と下プーリ８３との中間に設けられている。
【００３２】
上プーリ８１、中プーリ８２、及び下プーリ８３にはワイヤ８４が架け渡されている。ワイヤ８４は第２軸部６５から上プーリ８１の背面側に架けられ、中プーリ８２の正面側に架け渡された後、下プーリ８３の正面側に架け渡されて支持部７２に連結される。
支持部７２の両端部には第２バネ８５の一端部が取り付けられており、第２バネ８５の他端部は第２バネ８５が斜め上方に延びるようにバネ取付部２７に取り付けられている。第２バネ８５の正面側の端部は、下プーリ８３の取付位置より高くなっている。
【００３３】
以下、清掃体１７の動作について説明する。
図９は扉２１の開動作の途中を示す側面断面図、図１０は扉２１が完全に開いた状態を示す側面断面図、図１１は、扉２１が閉じる状態を示す側面断面図である。
図９に示すように、扉２１が開くのに従い、扉連動アーム６２に引かれて、第１軸部６４及び第２軸部６５が上溝部２４を案内され、焼き網６が前方に進出する。
第２軸部６５が進出するときに、下プーリ８１、及び第２バネ８５の位置関係により支持部７２は斜め下方向に引かれるので、支持部７２は第１下溝部２６１を案内され、清掃体７が底面を摺動する。支持部７２の進出に従って清掃体７は加熱室３の底面を摺動し、清掃体７の摺動に伴って、清掃体７の正面側の調理屑が順次掻き集められる。
【００３４】
図１０に示すように扉２１が完全に開いた場合、第１軸部６４が上溝部２４の正面側端部で停止し、上プーリ８１，中プーリ８２，下プーリ８３に架け渡したワイヤ８４によって第２軸部６５に連結された支持部７２が、調理屑収容箱１０の背面側端部より少し正面側の位置に到達し、清掃体７の摺動により掻き集められた調理屑が調理屑収容箱１０内に溜まる。
【００３５】
図１１に示すように、扉２１が閉じられる場合、扉連動アーム６２の後退に連動して、第１軸部６４及び第２軸部６５が上溝部２４を案内され、焼き網６が後退する。支持部７２は、第２バネ８５により斜め上方に引かれるため、第２軸部６５に連結された支持部７２は第１下溝部２６１ではなく、第２下溝部２６２に嵌合し、第２下溝部２６２を案内されて後退する。上述したように、第１下溝部２６１の高さは清掃体７の高さと一致するので、第２下溝部２６２に嵌合した場合、清掃体７は底面から浮いた状態で後退する。
【００３６】
以上のように、本実施の形態においては、扉２１の閉動作に連動して焼き網６が後退する場合に、清掃体７が、下端部が底面から離隔した状態で後退するので、調理屑が背面側に引き戻される虞がない。
【００３７】
なお、前記実施の形態１及び２においては、清掃体７が本発明の加熱調理器をオーブントースタ１、１１に適用した場合につき説明しているがこれに限定されるものではない。本発明はオーブン、オーブンレンジ等の他の加熱調理器にも適用することが可能である。
【００３８】
以上のように、本発明に係る加熱調理器（１，１１）は、正面に設けられた開口部に、下端部が枢支されて前後に開くように構成された扉（２１）を有する筐体（２）と、該筐体（２）内に設けられ、被加熱物（Ｂ）を収容する収容室（３）と、前記被加熱物（Ｂ）を載置し、前記扉（２１）の開閉動作に連動して前記収容室（３）を進退する載置体（６）とを備える加熱調理器（１，１１）において、前記収容室（３）の幅方向に延在し、前記扉（２１）の開動作に連動して、下端部が前記収容室（３）の底面に接触する状態で前記収容室（３）の背面側から正面側へ進出する清掃体（７，１７）を備えることを特徴とする。
【００３９】
本発明においては、被加熱物（Ｂ）の加熱後に、扉（２１）を開いて載置体（６）を正面側に進出させる場合に、清掃体（７，１７）が収容室（３）の底面の略全体を摺動されて進出し、これに伴い、調理屑が取りこぼしなく掻き集められて正面側に移動させられる。
【００４０】
本発明に係る加熱調理器（１，１１）は、前記清掃体（７，１７）が、前記扉（２１）の閉動作に連動して、前記下端部が前記底面から離隔する状態で前記収容室（３）の正面側から背面側へ後退するように構成することができる。
本発明においては、扉（２１）の閉動作に連動して載置体（６）が後退する場合に、清掃体（７，１７）が、下端部が底面から離隔した状態で後退するので、調理屑が背面側に引き戻される虞がない。
【００４１】
本発明に係る加熱調理器（１１）は、前記収容室（３）の両側面に、前記清掃体（７，１７）を案内する溝部（２６）が設けられ、該溝部（２６）は、前記清掃体（７，１７）が進出する場合と後退する場合とで経路が異なるように構成することができる。
本発明においては、載置体（６）が後退する場合に、容易に清掃体（７，１７）の下端部を収容室（３）の底面から浮かせることができる。
【００４２】
本発明に係る加熱調理器（１，１１）は、前記底面の正面側下方に、調理屑を収容する調理屑収容箱（１０）を備えることができる。
本発明においては、正面側へ掻き集められた調理屑をまとめて収容し、廃棄することができる。
【００４３】
本発明に係る加熱調理器（１，１１）は、前記調理屑収容箱（１０）が、中を視認できるように構成することができる。
本発明においては、ユーザが時期を見て調理屑収容箱（１０）に溜まった調理屑を廃棄することができる。
【００４４】
本発明に係る加熱調理器（１）は、前記収容室（３）は直方体状をなし、前記載置体（６）は矩形状をなし、前記収容室（３）の両側面に、前記底面に平行に、上溝部（２４）及び下溝部（２３）が設けられ、前記載置体（６）は、前記幅方向両端部の奥行き方向の中途部に横設した第１軸部（６４）、及び背面側端部に横設した第２軸部（６５）を有し、前記第１軸部（６４）に、前記扉（２１）の幅方向両端部に取り付けられた扉連動アーム（６２）が枢支され、前記収容室（３）の背面に固定した第１バネ（６３）が取り付けられ、前記清掃体（７，１７）は、前記幅方向の両端部に横設した第３軸部（７２）を有し、前記第２軸部（６５）と前記第３軸部（７２）とは連結棒（７３）により連結され、前記扉（２１）の開動作に連動して、前記第１軸部（６４）及び第２軸部（６５）が前記上溝部（２４）を案内され、前記第３軸部（７２）が前記下溝部（２３）を案内されるように構成することができる。
本発明においては、簡単な構成で、清掃体（７，１７）が扉（２１）の開閉動作に連動して進退することができる。
【００４５】
本発明に係る加熱調理器（１１）は、前記下溝部（２６）は、前記底面に平行である第１下溝部（２６１）と、該第１下溝部（２６１）の正面側端部に連なり、背面側に斜め上方に延びる第２下溝部（２６２）と、該第２下溝部（２６２）の背面側端部から該背面側端部と前記第１下溝部（２６１）の背面側端部とを連結するように斜め下方に延びる第３下溝部（２６３）とを有し、前記第３軸部（７２）には第２バネ（８５）の一端部が取り付けられ、前記第２バネ（８５）の他端部は該第２バネ（８５）が斜め上方に延びるように前記背面に固定され、前記収容室（３）の両側面には、上プーリ（８１）、中プーリ（８２）、及び下プーリ（８３）が、順に背面側から正面側に位置するように設けられ、前記第２軸部（６５）と前記第３軸部（７２）とは、前記上プーリ（８１）、中プーリ（８２）、及び下プーリ（８３）に架け渡したワイヤ（８４）により連結され、前記扉（２１）の開動作に連動して、前記第３軸部（７２）が前記第１下溝部（２６１）を案内され、前記扉（２１）の閉動作に連動して、前記第３軸部（７２）が前記第２下溝部（２６２）を案内されるように構成することができる。
本発明においては、簡単な構成で、扉（２１）の開動作時に清掃体（７，１７）が収容室（３）の底面を摺動し、扉（２１）の閉動作時に、清掃体（７，１７）が底面から離隔した状態で後退することができる。
【００４６】
本発明に係る加熱調理器（１，１１）は、前記清掃体（１７）が、前記幅方向に複数の毛状部（７４）を植設してあるように構成することができる。
本発明においては、底面に疵が付くことなく、清掃体（１７）を摺動させることができる。
【００４７】
今回開示した上述の実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００４８】
１、１１  オーブントースタ
２  筐体
２１  扉
２２  扉ハンドル
２３、２６  下溝部
２６１  第１下溝部
２６２  第２下溝部
２６３  第３下溝部
２４  上溝部
２７  バネ取付部
３  加熱室
５  ヒータ
６  焼き網
６２  扉連動アーム
６３  第１バネ
６４  第１軸部
６５  第２軸部
７、１７  清掃体
７２  支持部
７３  連結棒
７４  毛状部
８１  上プーリ
８２  中プーリ
８３  下プーリ
８４  ワイヤ
８５  第２バネ
１０  調理屑収容箱
【図１】
2014085057.tif 000003
【図２】
2014085057.tif 000004
【図３】
2014085057.tif 000005
【図４】
2014085057.tif 000006
【図５】
2014085057.tif 000007
【図６】
2014085057.tif 000008
【図７】
2014085057.tif 000009
【図８】
2014085057.tif 000010
【図９】
2014085057.tif 000011
【図１０】
2014085057.tif 000012
【図１１】
2014085057.tif 000013